(57)【要約】【課題】カメラを縦姿勢に構えた場合も、横姿勢に構えた場合も、パノラマ撮影が容易におこなえるようにした電子カメラを提供することが課題である。【解決手段】電子カメラを縦姿勢と横姿勢で三脚に固定できる位置に設けられた三脚取り付け孔と、電子カメラにおける縦姿勢、横姿勢を検出するカメラ姿勢検出手段と、該カメラ姿勢検出手段が検出した電子カメラの縦姿勢、横姿勢に応じて前記表示装置へ表示するメッセージの表示方向を変化させる手段とを備え、撮影時における電子カメラの姿勢に応じて前記表示装置へ表示するメッセージの表示方向を変化させるようにした。【選択図】    図１
2005051454.tif 000002
【特許請求の範囲】
【請求項１】
表示装置を有する操作部と、撮影用レンズを備えて前記表示装置に映像信号を送る撮像部と、前記操作部と前記撮像部とを相対的に回動自在に連結する回動機構と、前記操作部の姿勢を検出する検出手段と、前記検出手段が検出した姿勢に応じて、前記表示装置へ表示するメッセージの表示方向を制御する表示制御手段とを備えたことを特徴とする電子カメラ。
【請求項２】
前記検出手段は、前記操作部の縦姿勢又は横姿勢を検出するものであることを特徴とする請求項１に記載の電子カメラ。
【請求項３】
前記検出手段は、三脚等の撮影補助部材の前記操作部側の筐体への接続を検出することにより、前記操作部の姿勢を検出するものであることを特徴とする請求項１又は２に記載の電子カメラ。
【請求項４】
前記表示装置へ表示するメッセージの表示方向を指定する方向指定手段を備え、前記方向指定手段により、前記検出手段が検出した姿勢に応じたメッセージの表示方向に優先し、表示方向を指定することが出来ることを特徴とする請求項１乃至３記載に電子カメラ。
【請求項５】
前記電子カメラはパノラマ撮影モードを備え、前記操作部の操作により前記パノラマ撮影モードが選択された場合には、前記検出手段が検出した姿勢に応じたメッセージの表示方向に優先し、前記パノラマ撮影モードに適したメッセージの表示方向に切換えることを特徴とする請求項１乃至４のいずれかに記載の電子カメラ。
【請求項６】
表示装置を有する操作部と、撮影用レンズを備えて前記表示装置に映像信号を送出する撮像部と、前記操作部と前記撮像部とを相対的に回動自在に連結する回動機構と、前記操作部の操作により選択可能なパノラマ撮影モードと、前記表示装置へ表示するメッセージの表示方向を制御する表示制御手段とを備え、前記パノラマ撮影モード選択時には、前記表示制御手段により前記パノラマ撮影に適したメッセージの表示方向に切換えることを特徴とする電子カメラ。
【請求項７】
前記撮像部は、撮像部の回動角度確認マークを有することを特徴とする請求項１乃至６のいずれかに記載した電子カメラ。
【発明の詳細な説明】
【０００１】
【発明の属する技術分野】
本発明は、撮像素子で撮像した画像を内蔵メモリや外部記憶装置に記憶できるようにした電子カメラに関し、特に、パノラマ撮影を簡単におこなえるようにした電子カメラに関するものである。
【０００２】
【従来の技術】
パノラマ写真は、開けた風景の写真を撮影するときや、大勢の人が集まって横に広がって記念写真を撮る場合などに好んで用いられている。そしてこういったパノラマ写真を撮るため、以前は、レンズ部がカメラ前面で回転するようにしたパノラマ写真専用カメラが存在し、また、パノラマ撮影用の回転雲台を用い、カメラを一定角度ずつ回転させて複数枚撮影し、それを合成する方法も用いられていた。
【０００３】
しかしながら、前記したパノラマ専用カメラはプロ用で高価であり、一般の人が使えるカメラではなかった。またパノラマ撮影用の回転雲台もあまり一般的ではなく、さらにこの方法は、撮影した画像の合成を写真屋に頼んで横長の一枚にしてもらうか、プリントを自分で切り張りする必要があり、写真屋に頼む方法はあまり一般的ではない。また、切り張りする方法は面倒であると共に、仕上がりが綺麗にならないという難点がある。
【０００４】
そのため、通常のフィルムを使用するカメラにおけるレンズの結像面、すなわちフィルムのある位置の上下を遮蔽するパノラマ機能と称する機能を有したカメラが出現し、フィルム上で横長の画像を撮影し、それを引き延ばしてパノラマ写真とすることが一般化した。
【０００５】
また、撮像素子で撮像した画像を内蔵メモリや外部記憶装置に記憶できるようにした電子カメラにおいては、撮影後の画像合成などが比較的簡単なため、例えば水平方向、または垂直方向に複数枚の撮影をおこない、得られた画像を後で画像処理してパノラマ写真を作成するということもおこなわれている。
【０００６】
しかし通常の電子カメラでは、パノラマ撮影のための特別の機能を設けているものはないから、前記したように手持ち、または三脚に固定し、カンで水平方向または垂直方向に一定距離ずつ移動させながら複数枚の撮影をおこなう、というのが一般的である。
【０００７】
しかしながら電子カメラの中には、カメラを液晶等の表示装置を備えた操作部と撮影用レンズを備えた撮像部とに分割し、両ユニットを相対的に回転可能に連結したものや、特許文献１に示したように、液晶等の表示部を備えたカメラ本体に対して撮像レンズと撮像素子とを内蔵した撮像部を回転可能に構成し、撮影時には撮像部をカメラ本体に対して撮影したい方向へ回転させ、非撮影時には撮像部をカメラ本体内方向へ回転させて本体内に収納することができるようにしたものなどが提案されている。
【０００８】
すなわちこのようなカメラを使えば、カメラを水平または垂直に回転させるため、回転雲台などの高価な基材を用いずに通常の三脚に固定し、撮像部を操作部に対して相対的に回動させることで、かなり精度の高い連続撮影をおこなうことができる。
【０００９】
【特許文献１】
特許第２９３１９０７公報（図１）
【００１０】
【発明が解決しようとする課題】
しかしながら、前記したフィルムのある位置の上下を遮蔽するパノラマ機能と称する機能を有したカメラを用いる方法は、非常に簡便に撮影ができる反面、使用できるフィルム面積を小さくしているにもかかわらず大倍率の引き延ばしをおこなうため、フィルムの粒子が見える画像荒れが生じてしまう。
【００１１】
また、電子カメラを液晶等の表示装置を備えた操作部と撮影用レンズを備えた撮像部とに分割し、両ユニットを相対的に回転可能に連結したものや、特許文献１に示したような電子カメラにおいては、三脚に固定して撮影をおこなうことで精度の高い連続撮影が可能とはなるが、通常の電子カメラはこういったパノラマ撮影に対応した機能を用意したものはなく、例えばカメラは通常横姿勢で構えて撮影をおこなうから、三脚に取り付けた状態でカメラを縦に構えるということはかなりやっかいであり、また、表示装置に表示されるメッセージ類も横姿勢に構えたときに読み易く表示されるのが一般的であるから、カメラを縦姿勢に構えたときはこれらメッセージ類が非常に読みにくくなる。
【００１２】
上述の事情に鑑み、本発明は、カメラを縦姿勢に構えた場合も、横姿勢に構えた場合も、パノラマ撮影が容易におこなえるようにした電子カメラを提供することが課題である。
【００１３】
【課題を解決するための手段】
上記課題を解決するため本発明においては、
表示装置を有する操作部と、撮影用レンズを備えて前記表示装置に映像信号を送る撮像部と、前記操作部と前記撮像部とを相対的に回動自在に連結する回動機構と、前記操作部の姿勢を検出する検出手段と、前記検出手段が検出した姿勢に応じて、前記表示装置へ表示するメッセージの表示方向を制御する表示制御手段とを備えたことを特徴とする。
【００１４】
このように電子カメラを構成することにより、パノラマ撮影をおこなう場合、姿勢検出手段が検出した姿勢に応じて表示装置へ表示するメッセージの表示方向を変化させるから、カメラの姿勢によってメッセージ類が上から下へ、または下から上へ表示されて読みにくくなるということが無く、使い勝手の良い電子カメラを提供することができる。
【００１５】
そして前記検出手段は、前記操作部の縦姿勢又は横姿勢を検出するものであり、前記検出手段は、三脚等の撮影補助部材の前記操作部側の筐体への接続を検出することによって操作部の姿勢を検出することにより、カメラ側は三脚に取り付けるだけで自動的に表示の切替がおこなわれ、パノラマ撮影に際しても非常に容易に撮影をおこなうことができる。
【００１６】
また、前記表示装置へ表示するメッセージの表示方向を指定する方向指定手段を備え、前記方向指定手段により、前記検出手段が検出した姿勢に応じたメッセージの表示方向に優先し、表示方向を指定することが出来るようにすることにより、三脚がない場合でもパノラマ撮影に伴う表示を最適におこなうことができる。
【００１７】
また、前記電子カメラはパノラマ撮影モードを備え、前記操作部の操作により前記パノラマ撮影モードが選択された場合には、前記検出手段が検出した姿勢に応じたメッセージの表示方向に優先し、前記パノラマ撮影モードに適したメッセージの表示方向に切換えることにより、パノラマ撮影に最適なメッセージの表示方向で撮影をおこなうことができる。
【００１８】
また本発明によれば、表示装置を有する操作部と、撮影用レンズを備えて前記表示装置に映像信号を送出する撮像部と、前記操作部と前記撮像部とを相対的に回動自在に連結する回動機構と、前記操作部の操作により選択可能なパノラマ撮影モードと、前記表示装置へ表示するメッセージの表示方向を制御する表示制御手段とを備え、前記パノラマ撮影モード選択時には、前記表示制御手段により前記パノラマ撮影に適したメッセージの表示方向に切換えることを特徴とする電子カメラが提供できる。
【００１９】
そして前記撮像部は、撮像部の回動角度確認マークを設けることにより、パノラマ撮影に必要な角度を確認しながら撮影をおこなうことができる。
【００２０】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００２１】
図１、図２は本発明になる電子カメラの一実施形態を示した概略斜視図、図３、図４は本発明になる電子カメラの一実施形態に表示されるメニューを示した図、図５は本発明になる電子カメラの一実施形態に設けた三脚孔を利用した電子カメラの姿勢検出手段を説明するための図、図６は本発明になる電子カメラの一実施形態の制御ブロック図、図７は同じく動作フロー図、図８は本発明になる電子カメラの第二実施形態を示した斜視図、図９は本発明の第２実施形態の電子カメラにおける撮像部と操作部を結合する回転機構の一実施形態である。
【００２２】
図中１は本発明になる電子カメラ、１０は内部にＣＣＤなどの撮像素子やズームレンズなどを配し、回転機構によって操作部１１に対して相対的に回動可能に接続された撮像部、１１は液晶などを用いた表示装置１４や操作釦類２０などを配した操作部、１２は三脚、１３は三脚取り付け孔で、図２における操作部１１の下側にも図示はしていないが設けられている。１４は液晶などを用いた表示装置、１５、１６は表示装置１４に表示された撮像画面、１７はパノラマ写真を撮影するときの画角を表示する画角表示ライン、１８は撮像部１０に設けられた回動角度確認マーク、１９は撮像部１０の回動角度の起点を示すマーク、２０はメニュー選択のための十字キー、３０、３１は表示装置１４に表示されたメニュー画面、３２、３３、３４、３５、３６、３７はメニュー項目、５０はカメラ姿勢検出手段の一実施形態として三脚取り付け孔１３の奥に設けられ、三脚の固定ネジの挿入によってスイッチが入る押しボタンスイッチ、５１は電子カメラ１の操作部１１の筐体、５２は押しボタンスイッチ５０のリード線、６１は撮像素子、６２は信号処理回路、６３は画像処理回路、６４は駆動制御回路、６５は操作部１１に設けられた十字キー２０などからのキー情報、６６はカメラ姿勢（角度）検出手段で、前記したように三脚取り付け孔１３内部に設けられたスイッチ５０や操作部１１に設けられた縦姿勢と横姿勢を切り替える切り替えスイッチなどで構成される。６７は画像処理回路、６８は各種操作を記憶しているメモリ、６９は撮像した画像を記憶するための外部メモリである。
【００２３】
本発明になる電子カメラ１は、図１、図２に示したように、内部にＣＣＤなどの撮像素子やズームレンズなどを配し、図示していない回転機構によって操作部１１に対して相対的に回動可能に接続された撮像部１０、液晶などを用いた表示装置１４や操作釦類２０などを配した操作部１１で構成され、操作部１１には、三脚１２に固定するため、上下方向のパノラマ写真を撮影する場合、図１のように撮像部１０の図示していない回転機構の回転軸が水平になるよう設けられた三脚取り付け孔１３、及び図示されていないが、図２のように撮像部１０の図示していない回転機構の回転軸を垂直にして左右方向のパノラマ写真が撮影できるように設けられた三脚取り付け孔が配されている。そしてこの三脚取り付け孔１３には、図５に示したように、その奥に押しボタンスイッチ５０が配され、電子カメラ１が三脚取り付け孔１３によって三脚に取り付けられたとき、挿入された三脚の固定ネジによって押しボタンが押され、電子カメラ１がどのような姿勢で取り付けられたかというカメラ姿勢検出信号が出力される。なおこのカメラ姿勢検出信号は、こういった三脚取り付け孔に設けた押しボタンスイッチだけでなく、操作部１１に配した縦姿勢と横姿勢を手動で切り替える切り替えスイッチなどを用いて出力するようにしても良い。
【００２４】
また撮像部１０には、撮像部１０の回動角度を知るために設けられた回動角度確認マーク１８が、操作部１１には撮像部１０の回動角度の起点マーク１９が設けられ、撮像部１０が操作部１１に対して相対的にどのくらいの角度回動したかがわかるようになっている。さらに操作部１１の表示装置１４には、パノラマ写真を撮影するときの画角を表示する画角表示ライン１７が設けられ、パノラマ写真撮影に当たって撮像部１０をどの程度回動させて撮影を進めればよいかが示される。そしてこの画角表示ライン１７は、撮像部１０のレンズにズームレンズが用いられる場合、ズームレンズの焦点距離から画角を算出し、その画角に応じた角度が表示されるようになっている。なお、撮像部１０の回動は、以下の説明では手動で回転する場合を例に説明するが、勿論モータなどを用い、自動的に回転するようにしても良いことは自明である。
【００２５】
このような構成の本発明になる電子カメラ１におけるパノラマ撮影の際の動作を、図６に示した制御ブロック図と図７に示したフロー図に基づいて説明する。
まず本発明になる電子カメラ１を用い、例えば図１のように上下方向のパノラマ撮影をおこなうべく三脚１２に取り付けると、図７のステップＳ２のカメラ姿勢（角度）検出がおこなわれる。このカメラ姿勢（角度）検出は、前記したように操作部１１の三脚取り付け孔１３内に設けられた押しボタンスイッチ５０、または前記したように、縦姿勢と横姿勢を手動で切り替える図示していない切り替えスイッチなどで構成した図６に示した検出手段信号６６からの信号が制御回路６７に送られておこなわれる。
【００２６】
そして次のステップＳ３のカメラ角度（姿勢）の判断において、このパノラマ撮影が左右方向か上下方向かの判断が制御回路６７でおこなわれ、上下方向の場合はステップＳ５に、左右方向の場合はステップＳ４に進む。現在の場合は、前記したように上下方向のパノラマ撮影をおこなうからステップＳ５に進む。この場合、電子カメラ１における操作部１１の表示装置１４へのメッセージは、例えば一例として図３にメニュー画面３０の場合を示したように、各種のメッセージ３２乃至３４が左から右方向に表示される。そして電子カメラ１にズームレンズが用いられている場合、制御回路６６は、画像処理回路６３を介して駆動制御６４からズームレンズの焦点距離を変化させるカムなどの動き量を受け取り、それによってズームレンズの焦点距離を算出して画角を計算する。そしてその画角を、画像処理回路６３を介して表示装置１４に送り、図１に表示装置１４内の画面１５に１７で示したような画角表示ラインを表示する。
【００２７】
そのため撮影者は、この画角表示ライン１７に表示された画角に従い、操作部１１に設けられた回動角度の起点１９と撮像部１０に設けられた回動角度確認マーク１８とにより、撮像部１０を所定角度ずつ回動させながら撮影をおこなう。そしてその画像信号は、撮像素子６１から信号処理回路６２、画像処理回路６３を介して外部メモリ６９に送られ、記憶される。
【００２８】
こうしてパノラマ撮影がおこなわれ、次のステップＳ６でパノラマ撮影が終了したかどうか、すなわち電子カメラ１が三脚１２から取り外された、図示していないパノラマ撮影指示釦によってパノラマ撮影終了が指示された、などの信号がキー情報６５、カメラ姿勢検出手段６６などから送られてくると制御回路６７は、パノラマ撮影が終了したとしてステップＳ７に進み、終了する。なお、このステップＳ６でパノラマ撮影が終了していないと判断された場合は、ステップＳ２に戻り、同じ事が繰り返される。
【００２９】
そしてステップＳ３において、図２に示したように、左右方向のパノラマ撮影をおこなうと判断された場合、制御回路６７は処理をステップＳ４に進め、操作部１１の表示装置１４に表示される表示画面１６上のメッセージや、画角表示ライン１７の表示方向を変化させる。すなわち図１に示した上下方向のパノラマ撮影をおこなう場合、図３に示し、前記したようにメッセージは、図上操作部１１の左に配された撮像部１０側から右方向に表示されている。しかしこのまま図２に示したように操作部１１を９０度回転させて三脚１２に取り付けた場合、メッセージは上から下方向に表示されてしまう。
【００３０】
そのため制御回路６７は、カメラ姿勢検出手段６６からの信号で左右方向のパノラマ撮影がおこなわれると判断された場合、画像処理回路６３に信号を送って表示装置１４へのメッセージの表示方向を、図２に示したように左から右になるようにする。そのため、表示装置１４へ表示されるメッセージ類は、図２、図４に示したように左から右に表示され、撮影者にとって非常に読みやすく表示される。そして以下、前記したようにステップＳ５においてパノラマ撮影がおこなわれ、ステップＳ６においてパノラマ撮影が終了したかどうかが判断されて処理が進められる。
【００３１】
なお、以上の説明では、図１のように、撮像部１０の図示しない回転軸が水平になった上下方向のパノラマ撮影をする場合、メッセージ類が左から右に表示されるとして説明してきたが、逆に図２のように撮像部１０の図示しない回転軸が垂直になって左右方向のパノラマ撮影をする場合にメッセージ類が左から右に表示されるようにした場合も同様であり、この場合は、図７におけるステップＳ３の判断における上下と左右の分岐が逆になればよい。
【００３２】
また以上の説明では、電子カメラ１として箱形の操作部１１に対して撮像部１０を砲弾型とした電子カメラの場合を例に説明してきたが、図８に示した本発明の第２実施形態の電子カメラ１００のように、撮像部１０１と操作部１０２共に薄型としても良い。
【００３３】
この図８に示した第２実施形態の電子カメラ１００は、操作部１０２側に表示装置１０５と一般的な撮影用操作釦類１０６乃至１１３を配し、この操作部１０２にヒンジ機構で回転可能に接続された撮像部１０１の一端側には、図示していない撮影レンズ窓、発光装置用の窓を配してある。そして操作部１０２における撮影用操作釦類１０６乃至１１３は、Ｙシャツの胸ポケットやＧパンの臀部ポケットなどに収容した場合でも引っかかりや違和感を感じさせないよう、操作部１０２の外カバーの平面から突出しないように設けられ、さらに、シャッター釦１０６はカメラ１００を右手で保持したときに人差し指で操作可能とし、ズームキー１０９、選択決定キー１０８、メニュー釦１１０、モードセレクト釦１１３などは、同じく右手でカメラ１００を保持したとき、親指の届く範囲に配置して操作性を高めてある。
また特に、撮影中に表示装置１０５に指がかからないように、主に撮影に用いる釦１０６、１０９等は、表示装置より離して配置している。
【００３４】
そしてこの第２実施形態の電子カメラ１００は、図９に示したような回転機構によって撮像部１０１と操作部１０２が結合されている。すなわちこの回転機構は、一端にフランジ５０５を、他端側にＣＥリング５０３を填め込む溝５３７を有し、溝５３７側にヒンジレンズプレート５０１に対して回り止めするためのキー溝５３１、５３２が設けられているヒンジシャフト５００、撮像部１０１のカバー４０２に設けられた固定部５１３にネジ孔５１１に通したビスで固定され、ヒンジシャフト５００のキー溝５３１、５３２に対応したキー凸５３４、５３５が設けられているヒンジレンズプレート５０１、同じく操作部１０２に固定されるヒンジボディプレート５０２などで構成されている。また、ヒンジシャフト５００のフランジ部５０５には、撮像部１０１の操作部１０２に対する回動角度を検出できるように反射パターン５０９を有したヒンジマーカー５０８を貼り付けられ、円形バネ５０４、ヒンジボディプレート５０２を通し、ヒンジレンズプレート５０１に設けられたキー凸５３４、５３５にヒンジシャフト５００のキー溝５３１、５３２を合わせて挿入し、ヒンジレンズプレート５０１のレンズ系側でヒンジシャフト５００に設けられた溝５３７にＣＥリングを填め込み、ヒンジレンズプレート５０１側で回り止めと抜け止めをして固定されている。
【００３５】
また操作部１０２側には、ヒンジマーカー５０８の反射パターン５０９を検出するためのフォトリフレクタ５１０が設けられ、それによって操作部１０２に対する撮像部１０１の回動角度が検出されて、表示装置１０５に表示されるようになっている。またこの第２実施形態の電子カメラ１００には、図４はしていないが図８における図上右側と下側に前記図５に示したような三脚取り付け孔１３が設けられ、撮像部１０１の操作部１０２に対する回動角度が表示装置１０５に表示されることを除けば前記と全く同様にしてパノラマ撮影をおこなうことができる。
【００３６】
このように電子カメラ１００を構成することにより、非常に薄型、軽量の電子カメラ１００が実現でき、しかもパノラマ撮影に際しては、前記したように撮影者が操作しやすい電子カメラ１００とすることができる。
【００３７】
なお以上の説明では、表示装置１４に表示するメッセージの表示方向を、カメラ姿勢（角度）検出手段により定めるように説明してきたが、これは、例えばメッセージの表示方向を指定するメッセージ表示方向指定キーなどの手段をキー情報６５の中に含ませ、前記検出手段６６が検出した姿勢に応じたメッセージの表示方向に優先し、表示方向を指定することが出来るようにすることにより、三脚に固定しない場合でもパノラマ撮影に伴う表示を最適におこなうことができる。
【００３８】
また、電子カメラ１にパノラマ撮影モードを設け、キー情報６５からの信号でパノラマ撮影モードに移行できるようにすれば、このパノラマ撮影モードが選択されたとき、検出手段６６が検出した姿勢に応じたメッセージの表示方向に優先してパノラマ撮影モードに適したメッセージの表示方向に切換えるようにし、パノラマ撮影に最適なメッセージの表示方向で撮影をおこなうようにすることもできる。
【００３９】
またそれだけでなく、本発明の電子カメラ１に、前記したように操作部に設けたキーの操作によりパノラマ撮影モードを選択可能とし、さらに表示装置１４へ表示するメッセージの表示方向を制御する表示制御手段とを設け、パノラマ撮影モード選択時、前記表示制御手段により前記パノラマ撮影に適したメッセージの表示方向に切換えるようにしても良い。
【００４０】
このように本発明による電子カメラ１または１００は、パノラマ撮影をおこなう場合、姿勢検出手段６６が検出した姿勢に応じて表示装置１４へ表示するメッセージの表示方向を変化させるから、カメラの姿勢によってメッセージ類が上から下へ、または下から上へ表示されて読みにくくなるということが無く、使い勝手の良い電子カメラを提供することができる。
【００４１】
そして前記検出手段６６は、前記操作部１１または１０２の縦姿勢又は横姿勢を検出するものであり、前記検出手段６６は、三脚等の撮影補助部材の前記操作部側の筐体への接続を検出することによって操作部１１または１０２の姿勢を検出することにより、カメラ側は三脚に取り付けるだけで自動的に表示の切替がおこなわれ、パノラマ撮影に際しても非常に容易に撮影をおこなうことができる。
【００４２】
また、前記表示装置１４へ表示するメッセージの表示方向を指定する方向指定手段を設けることにより、前記方向指定手段により、前記検出手段が検出した姿勢に応じたメッセージの表示方向に優先し、表示方向を指定することが出来るようにすれば、三脚がない場合でもパノラマ撮影に伴う表示を最適におこなうことができる。
【００４３】
また、前記電子カメラ１または１００はパノラマ撮影モードを備え、前記操作部１１または１０２の操作により前記パノラマ撮影モードが選択された場合には、前記検出手段が検出した姿勢に応じたメッセージの表示方向に優先し、前記パノラマ撮影モードに適したメッセージの表示方向に切換えることにより、パノラマ撮影に最適なメッセージの表示方向で撮影をおこなうことができる。
【００４４】
また本発明によれば、表示装置を有する操作部と、撮影用レンズを備えて前記表示装置に映像信号を送出する撮像部と、前記操作部と前記撮像部とを相対的に回動自在に連結する回動機構と、前記操作部の操作により選択可能なパノラマ撮影モードと、前記表示装置へ表示するメッセージの表示方向を制御する表示制御手段とを備え、前記パノラマ撮影モード選択時には、前記表示制御手段により前記パノラマ撮影に適したメッセージの表示方向に切換えることを特徴とする電子カメラが提供できる。
【００４５】
そして前記撮像部は、撮像部の回動角度確認マークを設けることにより、パノラマ撮影に必要な角度を確認しながら撮影をおこなうことができる。
【００４６】
【発明の効果】
以上記載の如く本発明によれば、カメラの姿勢に応じてメッセージの向きが変わるため、使い勝手の良い電子カメラを提供することができる
【図面の簡単な説明】
【図１】本発明になる電子カメラの一実施形態を示した概略斜視図である。
【図２】本発明になる電子カメラの一実施形態を示した概略斜視図である。
【図３】本発明になる電子カメラの一実施形態に表示されるメニューを示した図である。
【図４】本発明になる電子カメラの一実施形態に表示されるメニューを示した図である。
【図５】本発明になる電子カメラの一実施形態に設けた三脚孔を利用した電子カメラの姿勢検出手段を説明するための図である。
【図６】本発明になる電子カメラの一実施形態の制御ブロック図である。
【図７】本発明になる電子カメラの一実施形態の動作フロー図である。
【図８】本発明になる電子カメラの第二実施形態を示した斜視図である。
【図９】本発明の第２実施形態の電子カメラにおける撮像部と操作部を結合する回転機構の一実施形態である。
【符号の説明】
１  電子カメラ
１０  撮像部
１１  操作部
１２  三脚
１３  三脚取り付け孔
１４  表示装置
１５、１６  撮像画面
１７  画角表示ライン
１８  回動角度確認マーク
１９  回動角度の起点マーク
２０  十字キーなどの操作釦類
【図１】
2005051454.tif 000003
【図２】
2005051454.tif 000004
【図３】
2005051454.tif 000005
【図４】
2005051454.tif 000006
【図５】
2005051454.tif 000007
【図６】
2005051454.tif 000008
【図７】
2005051454.tif 000009
【図８】
2005051454.tif 000010
【図９】
2005051454.tif 000011